(57)【要約】【課題】足の大小にかかわらず簡単に履くことができ、避難時に安全に移動できる防災スリッパを提供する。【解決手段】後方開口状の足甲被覆部３を有し、かつ、危険物から足裏を保護するための硬質防護板を底部２に内有するスリッパ本体部１を備え、スリッパ本体部１に一端部４Ａを固着した弾性伸縮自在の係止バンド４と、スリッパ本体部１外面の複数箇所にて該係止バンド４を固定自在とする係止手段１０とを、有し、平常使用状態では、係止バンド４を折り畳んだ状態でスリッパ本体部１に固定し、非常時緊急避難使用状態では、係止バンド４を足首乃至かかとの後方から巻き付けた状態でスリッパ本体部１に固定している。【選択図】図１
2014030597.tif 000002
【特許請求の範囲】
【請求項１】
後方開口状の足甲被覆部（３）を有し、かつ、危険物から足裏を保護するための硬質防護板（７）を底部（２）に内有するスリッパ本体部（１）を備え、該スリッパ本体部（１）に一端部（４Ａ）を固着した弾性伸縮自在の係止バンド（４）と、上記スリッパ本体部（１）外面の複数箇所にて該係止バンド（４）を固定自在とする係止手段（１０）とを、有し、
平常使用状態では、上記係止バンド（４）を折り畳んだ状態で上記スリッパ本体部（１）に固定し、非常時緊急避難使用状態では、上記係止バンド（４）を足首乃至かかとの後方から巻き付けた状態で上記スリッパ本体部（１）に固定していることを特徴とする防災スリッパ。
【請求項２】
上記係止手段（１０）が、面状ファスナーであって、該係止バンド（４）の長手方向中間部（４Ｂ）と他端部（４Ｃ）に、面状ファスナーの雄片部（９）を設け、上記スリッパ本体部（１）が、上記足甲被覆部（３）の外側全面に面状ファスナーの雌部を成すループ起毛部（８）を有している請求項１記載の防災スリッパ。
【請求項３】
上記係止バンド（４）は、三角形状縫着部（６）によって上記一端部（４Ａ）が上記スリッパ本体部（１）に縫い付けられている請求項１又は２記載の防災スリッパ。
【発明の詳細な説明】
【技術分野】
【０００１】
本発明は、防災スリッパに関する。
【背景技術】
【０００２】
従来、地震や火災等が発生した非常時に緊急避難する際、屋外での使用を想定した防災スリッパが提案されていた（特許文献１参照）。
【先行技術文献】
【特許文献】
【０００３】
【特許文献１】特開２００６−２１２３８８号公報
【発明の概要】
【発明が解決しようとする課題】
【０００４】
しかし、特許文献１記載の防災スリッパは、急いで避難する必要がある時には、歩いたり走ったりし易いように、かかと部を開いて使用するものであるため、足のサイズの大小に対応できないという欠点があった。大きな足のサイズに合わせた場合には、足の小さな使用者は、サイズが合わず、避難の途中で脱げてしまう虞れがあり、釘や割れたガラスが足裏に突き刺さって非常に危険であった。
また、普段は、かかと部を折り畳んで足裏で踏んで使用するので、折り畳んだかかと部や起立した両側部が邪魔になって着脱しにくくなり、しかも、デザイン的にも一般的なスリッパに劣るという欠点があった。
【０００５】
そこで、本発明は、足の大小にかかわらず簡単に履くことができ、避難時に安全に移動できる防災スリッパを提供することを目的とする。
【課題を解決するための手段】
【０００６】
本発明に係る防災スリッパは、後方開口状の足甲被覆部を有し、かつ、危険物から足裏を保護するための硬質防護板を底部に内有するスリッパ本体部を備え、該スリッパ本体部に一端部を固着した弾性伸縮自在の係止バンドと、上記スリッパ本体部外面の複数箇所にて該係止バンドを固定自在とする係止手段とを、有し、平常使用状態では、上記係止バンドを折り畳んだ状態で上記スリッパ本体部に固定し、非常時緊急避難使用状態では、上記係止バンドを足首乃至かかとの後方から巻き付けた状態で上記スリッパ本体部に固定しているものである。
また、上記係止手段が、面状ファスナーであって、該係止バンドの長手方向中間部と他端部に、面状ファスナーの雄片部を設け、上記スリッパ本体部が、上記足甲被覆部の外側全面に面状ファスナーの雌部を成すループ起毛部を有しているものである。
また、上記係止バンドは、三角形状縫着部によって上記一端部が上記スリッパ本体部に縫い付けられているものである。
【発明の効果】
【０００７】
本発明の防災スリッパによれば、スリッパ本体部の外面の複数箇所に係止バンドを固定することができ、足の大小にかかわらず係止バンドを足首乃至かかとの後方から巻き付けてスリッパ本体部に簡単に固定して、非常時に緊急で避難する際、途中で脱げることなく安全に移動できる。普段は、係止バンドを折り畳んだ状態でスリッパ本体部に固定して、邪魔にならないように使用できる。しかも、従前のスリッパとデザインの変更の必要もないため、低コストで製造できる。
【図面の簡単な説明】
【０００８】
【図１】本発明に係る防災スリッパの実施の一形態を示した斜視図である。
【図２】本発明の防災スリッパを示した斜視図である。
【図３】防災スリッパの平常使用状態の拡大断面図である。
【図４】足のサイズが大きい使用者が着用した非常時緊急避難使用状態を示した斜視図である。
【図５】足のサイズが小さい使用者が着用した非常時緊急避難使用状態を示した斜視図である。
【図６】本発明に係る防災スリッパの他の実施形態を示した斜視図である。
【発明を実施するための形態】
【０００９】
以下、実施の形態を示す図面に基づき本発明を詳説する。
図１、図２、図３に示すように、本発明の防災スリッパは、後方開口状の足甲被覆部３を有し、かつ、危険物から足裏を保護するための硬質防護板７を底部２に内有するスリッパ本体部１を備え、スリッパ本体部１に一端部４Ａを固着した弾性伸縮自在の係止バンド４と、スリッパ本体部１外面の複数箇所にて係止バンド４を固定自在とする係止手段１０とを、有している。
スリッパ本体部１は、フード状に縫製された足甲被覆部３の内側の開口部に足先から足甲を差し込んで（突っ込んで）履くものであって、一般家庭や病院、旅館、ホテル等で室内用履物として広く使用されているものと同等である。スリッパ本体部１は、地震や火災で慌てて屋外に飛び出した際に、屋外での歩行（移動）を安全に行えるように構成されており、硬質防護板７は、釘や割れたガラスが底部２を突き抜けて足裏に刺さるのを防止している。なお、硬質防護板７は、ポリカーボネートから成る樹脂製防護板が好ましく、又は、金属板であっても良い。
【００１０】
図１、図２では、本発明の防災スリッパは、係止手段１０が、面状ファスナーであって、係止バンド４の長手方向中間部４Ｂと他端部４Ｃに、面状ファスナーの雄片部９を設け、スリッパ本体部１が、足甲被覆部３の外側全面に面状ファスナーの雌部を成すループ起毛部８を有している。
ループ起毛部８は、極細の繊維で編まれたパイル状生地から成り、面状ファスナーの雌部として雄片部９の被貼付面となる。
雄片部９は、係止バンド４の長手方向中間部４Ｂと他端部４Ｃに張り付けられた取付小片５，５に多数本突設されている。取付小片５，５は、一方が係止バンド４の一面側に貼り付けられ、他方が係止バンド４の他面側に貼り付けられている。係止バンド４は、中間部４Ｂと他端部４Ｃの雄片部９が足甲被覆部３のループ起毛部８に押し付けられると、面状ファスナーの雄片部９とループ起毛部８の係合により貼り付いて固定される。つまり、係止バンド４の雄片部９は、足甲被覆部３の外面のどの箇所に対しても貼り付けることが可能であり、また、必要に応じて係止バンド４の中間部４Ｂ・他端部４Ｃを足甲被覆部３から剥がして何度でも貼り直すことができる。
また、図３に示すように、スリッパ本体部１の底部２には、底板２０を備え、底板２０の上面に硬質防護板７を配設し、さらに、硬質防護板７の上に発泡性弾性樹脂２１を設け、パイル状生地から成る表皮２２によって硬質防護板７及び発泡性弾性樹脂２１を包囲状に被覆した状態で縫着している。
【００１１】
係止バンド４は、帯状のゴムバンドから成り、三角形状縫着部６によって一端部４Ａがスリッパ本体部１（足甲被覆部３）に縫い付けられている。
図１、図２では、係止バンド４は、足甲被覆部３の開口周縁部の左側の端部に一端部４Ａが固着され、スリッパ本体部１の長手方向後方に向けて取着されている。図２に示すように、係止バンド４は、三角形状縫着部６にて、９０度折返しが可能であって、スリッパ本体部１の後方から右方に折り返して、足甲被覆部３の（開口周縁部）外面に沿って折り畳めるように構成されている。
【００１２】
なお、図６に示すように、係止手段１０は、係止バンド４の他端部４Ｃに付設するフック１９と、スリッパ本体部１の３箇所〜４箇所に設けたフック受け部材１８と、から成るものでも良く、複数回にわたって着脱を繰り返しても係止能力が劣化しないものとするのが好ましい。図６では、係止バンド４の一端部４Ａが、スリッパ本体部１（足甲被覆部３）に止着され、中間部４Ｂで係止部に引っ掛けて折り返しできるように構成されている。係止バンド４は、折り畳んだ状態でフック１９を一端部４Ａ側に固定することができ、また、足首乃至かかとの後方から巻き付けた状態でフック１９をフック受け部材１８に係止して使用することができる。
【００１３】
上述した本発明の防災スリッパの使用方法（作用）について説明する。
図１と図３に示すように、平常使用状態では、係止バンド４を折り畳んだ状態でスリッパ本体部１に固定し、非常時緊急避難使用状態では、係止バンド４を足首乃至かかとの後方から巻き付けた状態でスリッパ本体部１に固定する。
係止バンド４は、一端部４Ａを三角形状縫着部６にて折返して足甲被覆部３の外面に沿って弯曲させ、中間部４Ｂの雄片部９を足甲被覆部３のループ起毛部８に張り付けて固定する。そして、中間部４Ｂで係止バンド４をＵ字状に折り返して、他端部４Ｃの雄片部９を足甲被覆部３のループ起毛部８に張り付けて固定する。このようにして、係止バンド４は、平常使用状態では、二重に折り畳まれてスリッパ本体部１（足甲被覆部３）に固定され、邪魔にならないように配設される。しかも、図１、図３からも判るように、足甲被覆部３の足差込開口縁部の外面を美しく装飾することもできて好ましい。
【００１４】
図４と図５に示すように、非常時緊急避難使用状態では、係止バンド４を足首乃至かかとの後方から巻き付けた状態で他端部４Ｃを足甲被覆部３に貼り付けて固定する。
図４に於て、足のサイズが大きい使用者が着用した場合には、係止バンド４の他端部４Ｃを足甲被覆部３の開口周縁部近傍の右側の端部に貼り付ける。
図５に於て、足のサイズが小さい使用者が着用した場合には、係止バンド４の他端部４Ｃを足甲被覆部３の足先部寄りの位置まで引っ張って貼り付ける。
このように、本発明の防災スリッパは、係止バンド４の固定位置を適宜変更することにより、使用者の足のサイズの大小に対応して、避難する途中で脱げるのを防止する。
【００１５】
なお、本発明は、設計変更可能であって、図示省略するが、係止バンド外側全面に雄片部９を設けても良い。また、係止バンド４の外面にループ起毛部を形成し、平常使用状態で係止バンド４を折り畳んだ際、雄片部９を係止バンド４の外面のどの部分にでも貼り付けできるものとしても良い。
【００１６】
以上のように、本発明に係る防災スリッパは、後方開口状の足甲被覆部３を有し、かつ、危険物から足裏を保護するための硬質防護板７を底部２に内有するスリッパ本体部１を備え、スリッパ本体部１に一端部４Ａを固着した弾性伸縮自在の係止バンド４と、スリッパ本体部１外面の複数箇所にて係止バンド４を固定自在とする係止手段１０とを、有し、平常使用状態では、係止バンド４を折り畳んだ状態でスリッパ本体部１に固定し、非常時緊急避難使用状態では、係止バンド４を足首乃至かかとの後方から巻き付けた状態でスリッパ本体部１に固定しているので、スリッパ本体部１の外面の複数箇所に係止バンド４を固定することができ、足の大小にかかわらず係止バンド４を足首乃至かかとの後方から巻き付けてスリッパ本体部１に簡単に固定して、非常時に緊急で避難する際、途中で脱げることなく安全に移動できる。普段は、係止バンド４を折り畳んだ状態でスリッパ本体部１に固定して、邪魔にならないように使用できる。しかも、従前のスリッパとデザインの変更の必要もないため、低コストで製造できる。
【００１７】
また、係止手段１０が、面状ファスナーであって、係止バンド４の長手方向中間部４Ｂと他端部４Ｃに、面状ファスナーの雄片部９を設け、スリッパ本体部１が、足甲被覆部３の外側全面に面状ファスナーの雌部を成すループ起毛部８を有しているので、スリッパ本体部１の足甲被覆部３外面のどの部分にでも係止バンド４を容易に固定することができる。災害時、暗いところでも、容易に面状ファスナーを着脱でき、手さぐりで迅速かつ簡単に係止バンド４を固定することができる。
【００１８】
また、係止バンド４は、三角形状縫着部６によって一端部４Ａがスリッパ本体部１に縫い付けられているので、係止バンド４を三角形状縫着部６にて容易に９０度折返しでき、係止バンド４を折り畳んだ状態で外観を美しく保ったまま足甲被覆部３に固定でき、デザイン性も良く、平常時は、係止バンド４が邪魔にならないように使用できる。
【符号の説明】
【００１９】
１  スリッパ本体部
２  底部
３  足甲被覆部
４  係止バンド
４Ａ  一端部
４Ｂ  中間部
４Ｃ  他端部
６  三角形状縫着部
７  硬質防護板
８  ループ起毛部
９  雄片部
１０  係止手段
【図１】
2014030597.tif 000003
【図２】
2014030597.tif 000004
【図３】
2014030597.tif 000005
【図４】
2014030597.tif 000006
【図５】
2014030597.tif 000007
【図６】
2014030597.tif 000008